(57)【要約】【課題】施工地域に存在する植生を法面に誘導して緑化するにもかかわらず多様な植生相を早期に成立させることが可能な法面緑化方法とそれに用いる植生袋を提供する。【解決手段】裏側部材１と表側部材２とにより植生基材３の収容部４を形成し、裏側部材１の分解速度を表側部材２の分解速度よりも速くした生分解性の植生袋Ａに、植生基材３として施工地域の表土を充填し、法面６に生分解性のネット７を張設した後、前記植生袋Ａを、ネット７の上に設置するか、植生袋Ａを法面６に設置した後、その上から法面６に生分解性のネット７を張設して、法面を緑化する。【選択図】        図３
2004278229.tif 000002
【特許請求の範囲】
【請求項１】
裏側部材と表側部材とにより植生基材の収容部を形成した生分解性の植生袋であって、裏側部材の分解速度を表側部材の分解速度よりも速くしたことを特徴とする植生袋。
【請求項２】
表側部材が、植生基材が洩れない程度の目合いを有するネットである請求項１に記載の植生袋。
【請求項３】
法面にネットを張設して、施工地域の植生を法面に誘導する法面緑化方法であって、法面にネットを張設した後、施工地域の表土が充填された請求項１又は２に記載の植生袋を、前記ネットの上に適宜間隔で且つ前記裏側部材を下にして設置することを特徴とする法面緑化方法。
【請求項４】
法面にネットを張設して、施工地域の植生を法面に誘導する法面緑化方法であって、施工地域の表土が充填された請求項１又は２に記載の植生袋を、法面に適宜間隔で且つ前記裏側部材を下にして設置した後、その上から法面にネットを張設することを特徴とする法面緑化方法。
【発明の詳細な説明】
【０００１】
【発明の属する技術分野】
本発明は、表土を利用した法面緑化方法及び植生袋に関するものである。
【０００２】
【従来の技術】
【特許文献１】
特開平１１−８１３２７号公報
【特許文献２】
特開平１１−１７２６８２公報
【０００３】
施工地域外からの植生を持ち込まないで法面を緑化する方法として、上記特許文献１の図７に記載されている通り、法面にネットを張設すると共に、棚状物を設置して、施工地域の植生を法面に誘導する法面緑化方法が知られている。
【０００４】
この方法は、元々、施工地域に存在する植生を法面に誘導して緑化するので、植生相の混乱が少なく、遺伝子レベルでの生態系保全にも有効であるという利点を有しているが、上記の従来例では、いわゆる待ち受け型の緑化方法であり、法面への植生の成立に時間がかかり、しかも、成立する植生が風散種子によるものに限られるので、単純な植生相になるという問題点があった。
【０００５】
また、上記特許文献２には、表ネットと裏ネットとにより、横方向に細長い収容部を多数形成して、植生基材が充填された生分解性の植生袋を前記収容部に収容するように構成すると共に、表ネットの一部と裏ネットの全体を、前記植生袋が分解しても、植生基材が洩れない程度の目合いとし、表ネットの上面側だけ目合いの大きい窓に形成して、発芽の障害にならないようにした植生ネットが記載されている。
【０００６】
この従来例は、植生袋の向きを配慮することなく植生ネットの収容部に収容できるため、植生袋の収容作業が容易になり、植生袋の上面側だけを生分解性材料で形成するといった特殊な構造にしなくても、幼芽の成長を妨げないという利点を有している。
【０００７】
しかしながら、この従来例では、裏ネットの全体を植生基材が洩れない程度の目合いとしてあるので、植生袋が分解した際、植生基材の落下が裏ネットで阻止されることになり、植生基材と地山（法面）との間に隙間が生じるので、乾燥しやすくなり、発芽、発根に悪影響を及ぼす恐れがある。
【０００８】
【発明が解決しようとする課題】
本発明は、従来例におけるこれらの問題点をふまえてなされたものであって、その目的とするところは、施工地域に存在する植生を法面に誘導して緑化するにもかかわらず多様な植生相を早期に成立させることが可能な法面緑化方法とそれに用いる植生袋を提供するにある。
【０００９】
【課題を解決するための手段】
上記の課題を解決するために、本発明が講じた技術手段は、次の通りである。即ち、請求項１に記載の発明による植生袋は、裏側部材と表側部材とにより植生基材の収容部を形成した生分解性の植生袋であって、裏側部材の分解速度を表側部材の分解速度よりも速くしたことを特徴としている。
【００１０】
この植生袋によれば、裏側部材は、早期に分解して、内部に収容された植生基材を地山に落下・密着させる役目を果たし、表側部材は、遅れて分解することにより、植生基材の乾燥防止や流失防止の役目を果たすことができ、最終的には分解して環境に溶け込むことになる。
【００１１】
尚、裏側部材としては、生分解性の素材であれば、例えば不織布、紙、目合いの細かなネット等、種々な形状を利用できるが、表側部材としては、請求項２に記載の発明のように、表側部材が、植生基材が洩れない程度の目合いを有するネットであることが望ましい。これは、植物の芽が表側部材を通りやすくなるからであり、さらには、植生基材として施工地域の表土を利用するにあたり、吸引筒の内部に配設されたノズルにエアコンプレッサーで高圧エアを供給し、ノズルから噴出されるジェット気流によるコアンダ効果により、表土を吸引して植生袋内に充填する装置を用いた場合、表側部材（ネット）の網目からエアだけが排出され、表土が袋内に集積されることになり、表土を袋全体に能率良く充填できるからである。
【００１２】
請求項３に記載の発明は、法面にネットを張設して、施工地域の植生を法面に誘導する法面緑化方法であって、法面にネットを張設した後、施工地域の表土が充填された請求項１又は２に記載の植生袋を、前記ネットの上に適宜間隔で且つ前記裏側部材を下にして設置することを特徴としている。
【００１３】
上記の構成によれば、施工地域から法面に飛来する植生の種子をネットで捕捉するだけでなく、施工地域の表土（施工地域に存在する植生の種子や根を含む法面周辺の土）が充填された植生袋を前記ネットの上に適宜間隔で設置するので、単なる待ち受け型の緑化方法に比して、植生の成立に時間がかからず、しかも、成立する植生が風散種子に限定されないので、多様な植生相を早期に成立させ得るのである。
【００１４】
また、ネットの上に植生袋を設置するので、ネットを施工した後、表土の採取に適した時期に植生袋を設置するといったように、ネットの張設と、植生袋の設置とを、夫々に、都合の良い時期に施工することが可能であるという利点がある反面、ネットの上に植生袋を設置した場合、地山（法面）と植生袋との間に隙間が生じて、乾燥しやすくなるが、上記の構成によれば、植生袋の裏側部材が早期に分解するので、内部に充填された植生基材（表土）が早期に地山に落下・密着することになり、発芽、発根しやすくなる。従って、この点からも、多様な植生相の早期成立に寄与し得るのである。
【００１５】
尚、請求項４に記載の発明のように、施工地域の表土が充填された植生袋を法面に適宜間隔で且つ且つ前記裏側部材を下にして設置した後、その上から法面にネットを張設する場合は、植生袋の設置後、裏側部材が分解する前に、速やかにネットを張設する必要があるから、施工時期の制約が大きいが、植生袋と地山（法面）とが密着すると共に、ネットによる遮光効果も得られ、乾燥しにくい利点がある。また、請求項３，４に記載の発明において、法面に張設するネットは生分解性の素材が望ましい。
【００１６】
【発明の実施の形態】
図１〜図４は、本発明に係る法面緑化方法及び植生袋Ａの一例を示す。前記植生袋Ａは、図３、図４に示すように、裏側部材１と表側部材２とにより植生基材３の収容部４を形成した生分解性の植生袋である。裏側部材１及び表側部材２の夫々は生分解性の素材によって構成されているが、裏側部材１の分解速度を表側部材２の分解速度よりも速く構成してある。
【００１７】
裏側部材１としては、生分解性の素材であれば、例えば、天然繊維やポリ乳酸樹脂などの生分解性樹脂繊維、レーヨンなどの化学繊維等が採用でき、その形状も不織布、紙、目合いの細かなネット等、種々な形状を採用できる。また、表側部材２としては、植生基材３が洩れない程度の目合いを有する生分解性のネットが採用されている。
【００１８】
そして、例えば、裏側部材１を表側部材２よりも早期に分解する素材を選択するとか、ネット状の表側部材２を構成する線材の径を大きくするなどの構成を採用することで、裏側部材１の分解速度を表側部材２の分解速度よりも速くすることが可能となるのである。
【００１９】
植生基材３としては、施工地域の表土（施工地域に存在する植生の種子や根を含む法面周辺の土）が使用される。植生袋Ａに表土（植生基材３）を充填するにあたっては、予め採取しておいた表土を漏斗やスコップで充填してもよく、図３に示すように、吸引筒５の内部に配設されたノズルに、図外のエアコンプレッサーで高圧エアを供給し、ノズルから噴出されるジェット気流によるコアンダ効果により、表土を吸引して植生袋Ａ内に充填する装置Ｂを用い、表土を採取しつつ植生袋Ａに充填してもよい。後者によれば、表側部材（ネット）２の網目からエアａだけが抜けて、表土が袋内に集積されることになり、表土を袋全体に能率良く充填できる。尚、植生袋Ａの中に、表土に加えて、周辺の植生に適合する種子（木本植物など）を入れてもよい。その場合、施工地周辺から採取した種子を使用すると、遺伝子レベルでの生態系保全になり、好ましい。
【００２０】
次に、本発明に係る法面緑化方法について説明する。この法面緑化方法は、図１、図２に示すように、法面６に生分解性のネット７を張設した後、施工地域の表土が充填された前記植生袋Ａを、前記ネット７の上に、その裏側部材１を下にして、適宜間隔で設置することを特徴としている。図中の８は、固定用のアンカーピンである。
【００２１】
上記の法面緑化方法によれば、施工地域から法面６に飛来する植生の種子をネット７で捕捉するだけでなく、施工地域の表土（施工地域に存在する植生の種子や根を含む法面周辺の土）が充填された植生袋Ａを前記ネット７の上に適宜間隔で設置するので、単なる待ち受け型の緑化方法に比して、植生の成立に時間がかからず、しかも、成立する植生が風散種子に限定されないので、多様な植生相を早期に成立させることになる。
【００２２】
殊に、植生袋Ａの裏側部材１が表側部材２より早期に分解するので、内部に充填された表土（植生基材３）が早期に地山（法面６）に落下して、法面６と密着することになり、ネット７の上に植生袋Ａを設置しているにもかかわらず、発芽、発根しやすくなる利点がある。
【００２３】
また、表側部材２は、遅れて分解することにより、内部に充填された表土の乾燥防止や流失防止の役目を果たすことができ、最終的には分解して環境に溶け込むことになる。
【００２４】
尚、生分解性のネット７としては、植生が成立するまで、法面の流亡を防止できる引張強度を有し、且つ、植生袋Ａの裏側部材１が分解した際、充填された表土が法面６へ落下することを妨げない目合いのものであれば、種々の素材のものを採用でき、例えば、ポリ乳酸樹脂などの生分解性樹脂繊維の糸で編組したものでもよいが、飛来する種子を捕捉しやすい点では、ヤシ繊維で編組したネットのように毛羽立ったものであることが望ましい。
【００２５】
また、図示のように、ネット７に適宜間隔で横長の収容部７ａを形成しておき、これらの収容部７ａに肥料袋９を挿入したネット７を法面６に張設し、前記収容部７ａの傾斜上面に沿って前記植生袋Ａを設置すると、肥料袋９による養分補給が行われるだけでなく、植生袋Ａが肥料袋９によって形成される凸状部で傾斜下方を支えられるから、裏側部材１が分解して、表土（植生基材３）が法面に落下した際、肥料袋９による凸状部で表土（植生基材３）の流亡を抑制することができ、一層効果的である。
【００２６】
図５は、本発明に係る法面緑化方法の他の例を示し、下面に木毛１０が付設されたネット７を法面６に張設した後、前記植生袋Ａをネット７の上に設置した点に特徴がある。この方法は、雨水等により侵食しやすい法面６を施工対象とする場合に有効である。その他の構成、作用は、図１〜図４の実施形態と同じであるため、説明を省略する。
【００２７】
尚、図２、図５の例では、何れも、ネット７の施工後、その上に植生袋Ａを設置したが、図６に示すように、植生袋Ａを法面６に設置した後、その上から法面６にネット７を張設することも可能である。この構成によれば、植生袋Ａと地山（法面６）とが密着すると共に、ネット７による遮光効果も得られ、乾燥しにくい利点がある。
【００２８】
【発明の効果】
以上のように、本発明によれば、施工地域に存在する植生を法面に誘導して緑化するにもかかわらず多様な植生相を早期に成立させることが可能である等の効果がある。
【図面の簡単な説明】
【図１】本発明に係る法面緑化方法の一例を説明する斜視図である。
【図２】本発明に係る法面緑化方法の一例を説明する断面図である。
【図３】本発明に係る植生袋の説明図である。
【図４】本発明に係る植生袋の断面図である。
【図５】本発明に係る法面緑化方法の他の例を説明する断面図である。
【図６】本発明に係る法面緑化方法の他の例を説明する断面図である。
【符号の説明】
Ａ…植生袋、１…裏側部材、２…表側部材、３…植生基材（表土）、４…収容部。
【図１】
2004278229.tif 000003
【図２】
2004278229.tif 000004
【図３】
2004278229.tif 000005
【図４】
2004278229.tif 000006
【図５】
2004278229.tif 000007
【図６】
2004278229.tif 000008